(57)【要約】【課題】防水性に優れ、光源からの光の漏洩も発生しない鏡付き化粧台を提供する。【解決手段】鏡付き化粧棚１は、その表面側に配置された鏡２と、鏡２の背面側に設けられた壁面固定具であるベース板と、鏡２の下部に収容された光源およびその保持部であるランプソケットとを備えた鏡部と、光源からの光を導光する棚板６と、棚板６を載置するための断面が略Ｌ字形状をなす金属製の棚板受け金具７とを備えている。そして、鏡２の下部と棚板６との隙間を覆い隠すように、光漏洩防止用の遮蔽部材であるアルミニウム製の鏡前面遮蔽板５が配置され、ベース板の折り返し部に鏡前面遮蔽板取付ネジで固定されている。また、鏡前面遮蔽板５の上縁には鏡２の前面と接する鏡接触部が設けられ、下縁には棚板６の天面と接する棚板接触部が設けられ、鏡接触部および棚板接触部にはそれぞれ不透光性の低硬度ゴム製のパッキンが配置されている。【選択図】  図１
2005279102.tif 000002
【特許請求の範囲】
【請求項１】
表面側に配置された鏡と、前記鏡の裏面側に設けられた壁面固定具と、前記鏡の下部に収容された光源保持部とを備えた箱形状の鏡部と、底面に光反射層を有し、その他の面を光の発光面とし、側面の一面側を前記鏡部内の光源に臨ませた状態に配置された平板状の棚と、前記棚を前記鏡部に固定するため前記鏡部に設けられた支持部とからなり、前記鏡の下部と前記棚との間に、防水部材を介在させた状態で光漏洩防止用の遮蔽部材を配置したことを特徴とする鏡付き化粧棚。
【請求項２】
前記防水部材と接触する前記遮蔽部材の一部に前記防水部材側へ突出した突起部を設けた請求項１記載の鏡付き化粧棚。
【請求項３】
前記光源保持部を前記鏡部に着脱可能とした請求項１または２記載の鏡付き化粧棚。
【請求項４】
前記遮蔽部材よりも前記光源寄りに位置する前記棚の一部に、上方へ突出した突起部を設けた請求項１〜３のいずれかに記載の鏡付き化粧棚。
【請求項５】
前記突起部を光遮蔽素材で形成した請求項４記載の鏡付き化粧棚。
【請求項６】
前記突起部の前記光源に臨む部分に不透光反射部材を付設した請求項５記載の鏡付き化粧棚。
【発明の詳細な説明】
【技術分野】
【０００１】
本発明は、洗面所やトイレなどに配置されている洗面器付近の壁面に設置して使用される鏡付き化粧棚に関する。
【背景技術】
【０００２】
洗顔や化粧をしたり、ひげを剃ったりする際の利便性を図るため、洗面所には洗面化粧台あるいは化粧棚が設けられ、さらに浴室には化粧棚が設けられている。従来の化粧棚は、木材、樹脂、ガラスなどを材料として用いた棚板とこの棚板を支持し壁面に固定する支持部材から構成されており、同時に化粧鏡が併用される。これらの器具に要求される機能の一つは、首や顎下を明るく照らし、影を作らないことである。しかしながら、従来の洗面化粧台には鏡の周囲に照明が設けられているものの、化粧棚にはそのような機能を設けたものはなく、専ら、室内の照明に頼っているのが現状である。
【０００３】
一方、リビングルームや書斎などに設置される収納棚において発光機能を持った板材を用いたものがある（例えば、特許文献１参照。）。この収納棚は、棚板の左右両端を支持する支柱部材に光源を配置し、この光源の光によって棚板を面発光させている。また、従来の洗面化粧台においても、発光機能を持った板材を収納棚に用いた洗面化粧台が提案されている（例えば、特許文献２参照）。
【０００４】
【特許文献１】特開平６−１５４０４３号公報（第２−３頁、第１図、第２図）
【特許文献２】特開２０００３−１５１３３７号公報（第２−４頁、第２図）
【発明の開示】
【発明が解決しようとする課題】
【０００５】
鏡付き化粧台や洗面化粧台が設置される洗面所においては、手洗いや洗顔などの際に頻繁に水を使用するため、水が飛散して、これらの器具にかかる可能性が高く、棚板を発光させるために用いるランプ、点灯装置といった電気・電子部品への影響を考慮すると、器具内部への水や湿気の浸入を阻止する配慮が必須条件となる。しかしながら、特許文献１に記載された収納棚は防水性を備えていない。
【０００６】
また、特許文献２に記載の洗面化粧台の収納棚についても特に防水対策は講じられていないので、収納棚を構成する発行板材の光源寄りの部分に水がかかるとトラブルを生じる可能性がある。また、この洗面化粧台の収納棚の場合、棚板以外の器具の隙間等から光源の光が漏れることがあるので、折角棚板を発光させても、発光面が与える印象が薄れてしまい、インテリアとしての装飾的効果が低下してしまう。また、光源から漏れた光によって使用者が眩しさを感じることがある。
【０００７】
本発明が解決しようとする課題は、優れた防水性を備え、光源からの光の漏洩も発生しない鏡付き化粧台を提供することにある。
【課題を解決するための手段】
【０００８】
本発明の鏡付き化粧棚は、表面側に配置された鏡と、前記鏡の裏面側に設けられた壁面固定具と、前記鏡の下部に設けられた光源保持部とを備えた箱形状の鏡部と、底面に光反射層を有し、その他の面を光の発光面とし、側面の一面側を前記鏡部内の光源に臨ませた状態に配置された平板状の棚と、棚を鏡部に固定するため鏡部に設けられた支持部とからなり、鏡の下部と棚との間に、防水部材を介在させた状態で光漏洩防止用の遮蔽部材を配置したことを特徴とする。
【０００９】
このような構成とすることにより、光源からの光が最も漏洩しやすい部分である、鏡の下部と棚との間に配置された遮蔽部材が光源からの光を確実に遮蔽するため、光源からの光の漏洩が発生しない。また、比較的水がかかりやすい、鏡の下部と遮蔽部材と間および遮蔽部材と棚との間に防水部材を介在させているため、これらの隙間から水が浸入することもなく、優れた防水性を発揮する。
【００１０】
このように、鏡と棚の隙間を遮蔽部材で防水状態に閉塞することにより、器具内部への水の浸入を防ぐことができるため、水による電気・電子部品の腐食や絶縁不良といったトラブルを未然に防止できる。また、防水部材を介在させたことで、それぞれの隙間からの光漏れも防止できるため、外観品位を損なわず、また棚板の発光面が与える印象を損なうこともない。
【００１１】
ここで、防水部材と接触する遮蔽部材の一部に防水部材側へ突出した突起部を設けることもできる。このような突起部を設けることにより、遮蔽部材と防水部材との密着性を高めることができるため、防水性がさらに向上する。
【００１２】
また、光源保持部を鏡部に着脱可能とすれば、光源保持部を着脱するだけで光源の交換が可能となるため、メンテナンス性が向上する。
【００１３】
一方、遮蔽部材よりも光源寄りに位置する棚の一部に、上方へ突出した突起部を設けることもできる。このような突起部を設ければ、棚と遮蔽部材との隙間からの水の浸入を防止することができる。
【００１４】
この場合、突起部を光遮蔽素材で形成すれば、光漏洩防止機能がさらに向上する。
【００１５】
また、前記突起部の光源に臨む部分に不透光反射部材を付設することもできる。これにより、突起部からの光漏れを防止することができるばかりでなく、不透光反射部材で反射された光を有効利用することができる。
【発明の効果】
【００１６】
表面側に配置された鏡と、前記鏡の裏面側に設けられた壁面固定具と、前記鏡の下部に設けられた光源保持部とを備えた箱形状の鏡部と、底面に光反射層を有し、その他の面を光の発光面とし、側面の一面側を前記鏡部内の光源に臨ませた状態に配置された平板状の棚と、棚を鏡部に固定するため鏡部に設けられた支持部とからなり、鏡の下部と棚との間に、防水部材を介在させた状態で光漏洩防止用の遮蔽部材を配置したことにより、光源からの光の漏洩が発生せず、優れた防水性を発揮する。
【００１７】
また、化粧棚を発光させることにより、棚板の上に置かれた物の視認性が向上するだけでなく、インテリアとしての装飾的効果を付与するという効果がある。さらに、器具内部への水の浸入を防ぐ構造になっているため、周囲で水を扱うことの多い洗面所などでも安全に使用することができる。
【発明を実施するための最良の形態】
【００１８】
以下、図面に基づいて、本発明の実施の形態である鏡付き化粧棚について説明する。
【００１９】
（第１実施形態）
図１は発明の第１実施形態である鏡付き化粧棚を示す斜視図であり、図２は図１に示す鏡付き化粧棚の一部省略分解斜視図であり、図３は図１に示す鏡付き化粧棚の一部省略断面図である。
【００２０】
図１〜図３に示すように、本実施形態の鏡付き化粧棚１は、その表面側に配置された鏡２と、鏡２の背面側に設けられた壁面固定具であるベース板８と、鏡２の下部に収容された光源５１およびその保持部であるランプソケット５０とを備えた鏡部と、光源５１からの光を導光する棚板６と、棚板６を載置するための断面が略Ｌ字形状をなしたアルミニウムや真鍮などの金属製の棚板受け金具７とから構成されている。
【００２１】
また、棚板受け金具７は棚板受け金具取付ネジ１２を介して取付壁４０に固定されている。棚板６と棚板受け金具７は接着剤または両面テープなどで全て隙間なく接合されている、もしくは棚板６と棚板受け金具７の一部を両面テープなどで接合し、周囲の隙間をシリコンなどのシーリング剤で封入し防水処理されている。
【００２２】
ここで、鏡部とは、図２のベース板８に、棚板６を取り付けず、鏡２（図示せず）を取り付けた状態の構造体を指している。この鏡部は、めっきや塗装などの防錆処理が施された鉄製のベース板８の前面切起こし部８aに固定された鏡止め金具下２１にて鏡２の下部２箇所を保持し、鏡２の上部をアルミニウム製の鏡上枠３の鏡保持溝３aで保持し、ベース板８に鏡上枠３を鏡上枠取付ネジ１０で固定することにより、鏡２を保持している。
【００２３】
また、ベース板８の左右両端折返し部には断面が略Ｌ字形状のアルミニウム製の鏡側枠４が鏡側枠取付ネジ１３を介して固定され、ベース板８、鏡上枠３および鏡側枠４で箱形状の鏡部を構成しており、ベース板８は器具取付ネジ１１を介して取付壁４０に固定されている。
【００２４】
また、鏡２の裏面のベース板８内には、いわゆる電子安定器と称される放電安定器を備える点灯装置３０と、電源端子台３１とが収容されている。光源５１は、円筒形状（棒形状）の熱陰極蛍光ランプであり、その長手両端は、それぞれランプソケット５０に取り外し可能に支持されており、これらのランプソケット５０はランプソケット固定金具（図示せず）を介して、鏡２の下部に形成されたベース板８内の収容空間に、ランプソケット固定金具取付ネジ（図示せず）により固定された状態で収容されている。点灯装置３０と電源端子台３１、点灯装置３０とランプソケット５０は絶縁被覆電線（図示せず）を介して接続されており、商用交流電源を電源端子台３１に入力すると、光源５１が点灯する。
【００２５】
棚板６は、透明のポリメチルメタクリレート（ＰＭＭＡ）樹脂板を長方形の板状に加工したものである。棚板受け金具７と接する下面全体に白色インクのスクリーン印刷を施すことによって光反射層６ｄを設けている。ここで、光反射層６ｄは下面全体に均一に形成してもよく、また散乱用のドットパターンを形成してもよい。さらに、その下側に、白色ポリエステル等からなる反射シートを配置したり、棚板受け金具７の上面に白色インクの塗装を施したりする方が、反射効率の点でより望ましい。
【００２６】
棚板６の側面のうち一つの側面（以下、「入光面６ａ」という。）には、光源５１が近接して沿うように配されており、光源５１が発した光は、棚板６内を導光して上面（以下、「第１出光面６ｂ」という。）から出光する。
【００２７】
これにより、棚板６の上に置かれたものを照らすばかりでなく、鏡の下方から鏡利用者の首や顎下を照らすことができ、鏡上方の壁や天井に設置された照明により生じる影を緩和することができる。
【００２８】
棚板受け金具７は棚板６の下面全体を保持しており、棚板６の光源５１に相対する前面側小口面（以下、第２出光面６ｃという）をサンドブラスト処理等の粗面加工を施し、光源５１からの光を散乱させてから前方へ出光させる。
【００２９】
この場合、前面側小口面（第２出光面６ｃ）にサンドブラスト処理が施されていることにより、鏡付き化粧棚１において、光源５１からの強い光が第２出光面６ｃから直接出光されることなく散乱されるので、鏡利用者や化粧棚の前で作業する人への眩しさを防ぐことが可能である。
【００３０】
本実施形態では棚板受け金具７は棚板６の下面全体を保持したが、棚板上に置かれる物が保持できる強度が保つことができ器具内部へ水が浸入することがないように防水処理できれば、棚板６の下面全体を保持する必要はない。また、本実施例では第２出光面６ｃを粗面加工を施したが、単一の凸状の曲面或いは複数の連なった曲面とし、光源５１からの光を拡散させることによって和らげてもよい。
【００３１】
また、鏡２の下部と棚板６との隙間を覆い隠すように、光漏洩防止用の遮蔽部材であるアルミニウム製の鏡前面遮蔽板５が配置され、ベース板８の遮蔽板取付部８ｂに遮蔽板取付ネジ１７で固定されている。また、鏡前面遮蔽板５の上縁には鏡２の前面と接する鏡接触部５ａが設けられ、下縁には棚板６の天面と接する棚板接触部５ｂが設けられ、鏡接触部５ａおよび棚板接触部５ｂにはそれぞれ不透光性の低硬度ゴム製のパッキン６０，６１が配置されている。
【００３２】
これにより、鏡２を挿入するとパッキン６０が圧縮され、それにより鏡２と鏡前面遮蔽板５の隙間の防水性が確保され、隙間から器具内部への水の浸入を防止できる。また、パッキン６０は不透光性であり、光源５１が発する光を透過することがないため、器具外部への光源５１の光漏れを防止することもできる。
【００３３】
また、棚板受け金具７を棚板受け金具取付ネジ１２で取付壁４０に固定することにより、棚板６がパッキン６１を圧縮し、それにより棚板６と鏡前面遮蔽板５の隙間の防水性が確保され、隙間から器具内部への水の浸入と、光源５１から器具外部への光漏れを防止している。
【００３４】
本実施形態の鏡付き化粧棚１においては、器具の設置場所が主に洗面所などの、周囲で水を使用し器具にかかる可能性が高い場所である点を考慮すると、鏡上枠３、鏡側枠４、棚板受け金具７はアルマイト、めっき、塗装などの防錆処理を行うか、ステンレスなどの防錆性に優れた金属を用いることが、より望ましい。また、鏡上枠３、鏡側枠４に関しては、器具の隙間をなくし、また器具の意匠性を高めることが主な目的であり、高強度を必要とするものではないため、樹脂などを用いても良い。棚板受け金具７は積載が想定される物の重量に耐えられるレベルの強度を確保できるように材料選定・形状配慮を行うことが必要であるが、一般的な使用状態であれば合成樹脂で形成することも可能である。
【００３５】
ここで、本実施形態の鏡付き化粧棚１における光源５１の交換方法について説明する。光源５１の故障などにより交換が必要となった場合、図３に示す棚板受け金具取付ネジ１２を緩めて取り外し、棚板６と一体となっている棚板受け金具７を取り出せば、光源５１を斜め下方に外すことができる。この後は、前述と逆の手順で新たな光源５１を取り付け、棚板受け金具７とともに棚板６を取り付け、棚板受け金具取付ネジ１２を元の位置に螺着すれば交換作業が完了する。
【００３６】
（第２実施形態）
図４は本発明の第２実施形態である鏡付き化粧棚の部分断面図である。第２実施形態の鏡付き化粧棚の基本構造は第１実施形態の鏡付き化粧棚１と同じであるので、第１実施形態と同じ構成については、同じ符号をつけてその説明を省略し、以下、第１実施形態の鏡付き化粧棚１と異なる点を説明する。
【００３７】
第２実施形態の鏡付き化粧棚が第１実施形態の鏡付き化粧棚１と異なる点は、鏡前面遮蔽板５に設けたパッキンを低硬度ゴムパッキン６０，６１とし、鏡前面遮蔽板５を鏡２および棚板６の間に配置する際に、鏡２と棚板６と接する面に凸状突起部５ｃを設けた点である。
【００３８】
このような構成としたことにより、第１実施形態の鏡付き化粧棚１と同様に、鏡前面遮蔽板５と鏡２との隙間および鏡前面遮蔽板５と棚板６の天面との隙間からの器具内部への水の浸入と器具外部への光漏れを防止することができる。鏡前面遮蔽板５の凸状突起部５ｃにより、パッキン６０，６１を面接触状態ではなく線接触状態で押圧することができるため、パッキン６０，６１に対する圧縮力が増大し、防水性の信頼度が向上する。
【００３９】
（第３実施形態）
図５は第３実施形態である鏡付き化粧棚を示す部分断面図である。第３実施形態の鏡付き化粧棚の基本構造は第１実施形態の鏡付き化粧棚１と同じであるので、第１実施形態と同じ構成については、同じ符号をつけてその説明を省略し、以下、第１実施形態の鏡付き化粧棚１と異なる点を説明する。
【００４０】
第３実施形態の鏡付き化粧棚が第１実施形態の鏡付き化粧棚１と異なる点は、鏡前面遮蔽板５の、棚板６の天面と接する面にパッキンを配置せず、棚板６の光源５１に臨んだ側面側天面に不透光性の有色アクリルから成る凸状突起部６ｅを設けた点であり、この凸状突起部６ｅと棚板６とが接する面は全体的に隙間無く接着されている。
【００４１】
これにより、鏡前面遮蔽板５で棚板６との隙間を小さくし、水の浸入する勢いと水量を抑制し、さらに棚板６の光源５１に臨んだ側面側天面に凸状突起部６ｅで壁を設けることにより、器具内部へ水が浸入しないようにしている。したがって、例えば、棚板６の上に置かれたコップが倒れて水がこぼれた場合や濡れ雑巾で棚板６上面を清掃された場合などにおける水の浸入を防止できる。また、凸状突起部６ｅは不透光性であるため、鏡前面遮蔽板５と棚板６の隙間からの光漏れも防止できる。
【００４２】
（第４実施形態）
図６は第４実施形態である鏡付き化粧棚の部分断面図である。第４実施形態の鏡付き化粧棚の基本構造は第３実施形態の鏡付き化粧棚と同じであるので、第３実施形態と同じ構成については、同じ符号をつけてその説明を省略し、以下、第３実施形態の鏡付き化粧棚と異なる点を説明する。
【００４３】
第４実施形態の鏡付き化粧棚が第３実施形態の鏡付き化粧棚と異なる点は、凸状突起部６ｅが棚板６と同じ透明アクリルで形成され、光源５１に臨んだ面に不透光の高反射アルミニウム板２６を貼付けた点である。
【００４４】
これにより、棚板６と凸状突起部６ｅとが互いに同じ材質で接着しやすくなるため、棚板６と凸状突起部６ｅが接する面の防水性の信頼度が向上する。また、高反射アルミニウム板２６を光源５１に臨んだ面に貼付けたことにより、鏡前面遮蔽板５と棚板６の隙間からの光漏れを防止でき、凸状突起部６ｅで光が吸収されないので、棚板６の入光面６ａから入射される光量が増し、器具の発光効率が向上する。
【００４５】
（第５実施形態）
図７は第５実施形態の鏡付き化粧棚の部分断面図である。第５実施形態の鏡付き化粧棚の基本構造は第３実施形態の鏡付き化粧団と同じであるので、第３実施形態の鏡付き化粧棚と同じ構成については、同じ符号をつけてその説明を省略し、以下、第３実施形態の鏡付き化粧棚と異なる点を説明する。
【００４６】
第５実施形態の鏡付き化粧棚が第３実施形態の鏡付き化粧棚と異なる点は、鏡前面遮蔽板５の下方において、棚板６の凸状突起部６ｅと鏡前面遮蔽板５との隙間を埋めるように不透光性の低硬度ゴム製のパッキン６２を配置した点である。
【００４７】
一般に、棚板６の天面と鏡前面遮蔽板５の下端で鉛直方向にパッキンを圧縮する場合、施工者の棚金具の取付位置が上下することによりパッキンを圧縮する力にバラツキが生じやすいが、本実施形態の場合、棚板受け金具７を取付壁４０に棚板受け金具取付ネジ１２で固定することにより、鏡前面遮蔽板５と棚板６の凸状突起部６ｅとにより、パッキン６２を水平方向に圧縮し、鏡前面遮蔽板５と棚板６との間を防水することができるため、防水性が向上する。
【００４８】
（第６実施形態）
図８は第６実施形態の鏡付き化粧棚の部分断面図である。第６実施形態の鏡付き化粧棚の基本構造は第３実施形態の鏡付き化粧棚と同じであるので、第３実施形態の鏡付き化粧棚と同じ構成については、同じ符号をつけてその説明を省略し、以下、第３実施形態の鏡付き化粧棚と異なる点を説明する。
【００４９】
第６実施形態の鏡付き化粧棚が第３実施形態の鏡付き化粧棚と異なる点は、ランプソケット取付ネジ１８を用いてランプソケット５０を鏡前面遮蔽板５に固定し、鏡前面遮蔽板５の、ベース板８の遮蔽板取付部８ｂと接する面に磁石７０を配置した点と、棚板６の凸状突起部６ｅの上端の光源５１寄りの部分に斜面を設けた点である。
【００５０】
これにより、棚受け金具７を取り外すことなく、鏡前面遮蔽板５を手前に引き出すことが可能となるため、容易に光源５１を交換する事ができる。また、棚板６の凸状突起部６ｅの光源５１寄りの部分に斜面を設けることにより、光源５１の脱着を行いやすいようにしている。また、磁石７０がベース板８の遮蔽板取付８ｂに接合することにより、鏡前面遮蔽板５と鏡２とでパッキン６０を圧縮し、防水性も確保できる。この場合、磁石７０の磁力は、パッキン６０を圧縮するのに十分であってかつ鏡前面遮蔽板５を手前に引っ張って取り外すことが可能なレベルに設定しておくことが望ましい。
【００５１】
（第７実施形態）
図９は第７実施形態の鏡付き化粧棚の部分断面図であり、図１０は図９に示す鏡付き化粧棚から光源保持部を離脱させた状態を示す部分断面図であり、図１１は図９に示す鏡付き化粧棚から離脱させた光源保持部を示す部分斜視図である。第７実施形態の鏡付き化粧棚の基本構造は第６実施形態の鏡付き化粧棚と同じであるので、第６実施形態と同じ構成については、同じ符号をつけてその説明を省略し、以下、第６実施形態の鏡付き化粧棚と異なる点を説明する。
【００５２】
第７実施形態の鏡付き化粧棚が第６実施形態の鏡付き化粧棚と異なる点は、鏡前面遮蔽板５と磁石７０の間に断面が略レ字形状の水受け金具８０を配置した点である。水受け金具８０はランプソケット５０よりも外側までの長さに設定し、水受け金具の両側から排出される水が直接ランプソケット５０にかからないようにしている。
【００５３】
このような構造とすることにより、鏡前面遮蔽板５の上縁部分と鏡２との隙間を通って器具内部へ浸入した水を水受け金具８０で受けることが可能となるため、水がランプソケット５０へかかるのを防止できる。また、水受け金具８０で受けた水は両側からランプソケット５０にかかることなく、器具の隙間から排出される。この場合、器具内部へ侵入した水の排出性を良くするために、棚板受け金具７に水抜き穴を設けることが望ましい。
【００５４】
また、図１０，図１１に示すように、鏡前面遮蔽板５とともに光源保持部５３を取り外すことができる。すなわち、鏡前面遮蔽板５は、ベース板８の遮蔽板取付部８ｂに磁石７０を介して固定されているため、鏡前面遮蔽板５を手前に引くと、磁石７０がベース板８の遮蔽板取付部８ｂから離脱し、鏡前面遮蔽板５およびそれに固定されたランプソケット５０、光源５１が絶縁被覆電線９０で繋がった状態で、光源保持部５３の収容空間１０１から鏡２と棚板６との間に形成された隙間１００を通して外部へ取り出すことが可能である。したがって、光源５１の交換あるいは光源保持部５３のメンテナンスなどを行う際の作業性が極めて良好である。
【産業上の利用可能性】
【００５５】
本発明に係る鏡付き化粧棚は、トイレや洗面所や浴室などに設置して利用することができるほか、洗面化粧台の収納棚、商品陳列棚などの分野においても広く利用することができる。
【図面の簡単な説明】
【００５６】
【図１】本発明の第１実施形態である鏡付き化粧棚を示す斜視図である。
【図２】図１に示す鏡付き化粧棚の一部省略分解斜視図である。
【図３】図１に示す鏡付き化粧棚の一部省略断面図である。
【図４】本発明の第２実施形態である鏡付き化粧棚の部分断面図である。
【図５】本発明の第３実施形態である鏡付き化粧棚の部分断面図である。
【図６】本発明の第４実施形態である鏡付き化粧棚の部分断面図である。
【図７】本発明の第５実施形態である鏡付き化粧棚の部分断面図である。
【図８】本発明の第６実施形態である鏡付き化粧棚の部分断面図である。
【図９】本発明の第７実施形態である鏡付き化粧棚の部分断面図である。
【図１０】図９に示す鏡付き化粧棚から光源保持部を離脱させた状態を示す部分断面図である。
【図１１】図９に示す鏡付き化粧棚から離脱させた光源保持部を示す部分斜視図である。
【符号の説明】
【００５７】
１  鏡付き化粧棚
２  鏡
３  鏡上枠
３ａ  鏡保持溝
４  鏡側枠
５  鏡前面遮蔽板
５ａ  鏡接触部
５ｂ  棚板接触部
５ｃ  凸状突起部
６  棚板
６ａ  入光面
６ｂ  第１出光面
６ｃ  第２出光面
６ｄ  光反射層
６ｅ  凸状突起部
７  棚板受け金具
８  ベース板
８ａ  前面切起こし部
８ｂ  遮蔽板取付部
９  遮蔽板
１０  鏡上枠取付ネジ
１１  器具取付ネジ
１２  棚板受け金具取付ネジ
１３  鏡側枠取付ネジ
１４  ランプソケット固定金具取付ネジ
１５  凹部
１６  鏡止め金具下取付ネジ
１７  遮蔽板取付ネジ
１８  ランプソケット取付ネジ
２０  鏡止め金具上
２１  鏡止め金具下
２６  高反射アルミニウム板
３０  点灯装置
３１  電源端子台
４０  取付壁
５０  ランプソケット
５１  光源
５３  光源保持部
６０，６１，６２  パッキン
７０  磁石
８０  水受け金具
９０  絶縁被覆電線
１０１  収容空間
１００  隙間
【図１】
2005279102.tif 000003
【図２】
2005279102.tif 000004
【図３】
2005279102.tif 000005
【図４】
2005279102.tif 000006
【図５】
2005279102.tif 000007
【図６】
2005279102.tif 000008
【図７】
2005279102.tif 000009
【図８】
2005279102.tif 000010
【図９】
2005279102.tif 000011
【図１０】
2005279102.tif 000012
【図１１】
2005279102.tif 000013